(57)【要約】【課題】  様々なユーザ特性の様々な要求に対して、情報の調整を行い最適な形で情報を提供する。【解決手段】  ウェブコンテンツのアクセシビリティ、ユーザビリティに配慮して、コンテンツに付加情報、削除情報、置換え情報を付け加えた形で提供する。その際に、相反する要求への対処を調整部２９を設けてユーザに最適な形に調整することで、様々なブラウザによって、ユーザの特性に最適な形に調整した情報を取り出すことができるようにする。【選択図】  図２
2005056151.tif 000002
【特許請求の範囲】
【請求項１】
コンテンツ提示装置が取得したコンテンツをユーザが理解しやすい形に変換してから提示するコンテンツ提示方法であって、
ユーザのコンテンツ要求が入力された場合に前記コンテンツ提示装置内に具備されたデータベースからユーザの個人特性に応じた変換項目を取得する第１ステップと、
前記取得した変換項目が複数あり、相反する変換内容の変換項目を含む場合には、変換項目が持つ優先順位に基づいて採用する変換項目を決定する第２ステップと、
コンテンツサーバにアクセスしてユーザから要求されたコンテンツを取得する第３ステップと、
前記取得したコンテンツを前記変換項目に基づいて変換する第４ステップと、
前記変換したコンテンツをユーザに提示する第５ステップとからなることを特徴とするコンテンツ提示方法。
【請求項２】
コンテンツ提示装置が取得したコンテンツをユーザが理解しやすい形に変換してから提示するコンテンツ提示方法であって、
ユーザのコンテンツ要求が入力された場合に前記コンテンツ提示装置内に具備されたデータベースからユーザの個人特性に応じた変換項目を取得する第１ステップと、
前記取得した変換項目が複数あり、相反する変換内容の変換項目を含む場合には、変換項目が持つ優先順位に基づいて採用する変換項目を決定する第２ステップと、
ユーザからの要求と前記変換項目とに基づいて取得するコンテンツを決定する第３ステップと、
コンテンツサーバにアクセスして前記決定したコンテンツを取得する第４ステップと、
前記取得したコンテンツを前記変換項目に基づいて変換する第５ステップと、
前記変換したコンテンツをユーザに提示する第６ステップとからなることを特徴とするコンテンツ提示方法。
【請求項３】
コンテンツ提示装置が取得したコンテンツをユーザが理解しやすい形に変換してから提示するコンテンツ提示方法であって、
ユーザのコンテンツ要求が入力された場合に前記コンテンツ提示装置内に具備されたデータベースからユーザの個人特性に応じた変換項目を取得する第１ステップと、
前記取得した変換項目が複数あり、相反する変換内容の変換項目を含む場合には、各変換項目のベクトル量に重み係数をつけた関数から該変換内容に関しての変換の程度を決定する第２ステップと、
コンテンツサーバにアクセスしてユーザから要求されたコンテンツを取得する第３ステップと、
前記取得したコンテンツを前記変換の程度に基づいて変換する第４ステップと、
前記変換したコンテンツをユーザに提示する第５ステップとからなることを特徴とするコンテンツ提示方法。
【請求項４】
前記関数は
【数１】
2005056151.tif 000009
であり、前記重み係数を調整することにより前記変換の程度を調整することを特徴とする請求項３に記載のコンテンツ提示方法。
【請求項５】
前記変換項目は、取得したコンテンツに情報を付加する手段、取得したコンテンツから情報を削除する手段、取得したコンテンツを置き換える手段のうち少なくともいずれか一つであることを特徴とする請求項１〜４いずれかに記載のコンテンツ提示方法。
【請求項６】
取得したコンテンツをユーザが理解しやすい形に変換してから提示するコンテンツ提示装置であって、
前記コンテンツ提示装置が、
少なくともユーザのコンテンツ要求とユーザの個人特性とが入力される入力部と、
ユーザの個人特性と変換項目とを蓄積する個人特性蓄積部と、
前記個人特性蓄積部からユーザの個人特性に応じた変換項目を取得し、前記取得した変換項目が複数あり、相反する変換内容の変換項目を含む場合には、変換項目が持つ優先順位に基づいて採用する変換項目を決定する調整部と、
コンテンツサーバにアクセスしてユーザが要求したコンテンツを取得するネットワーク入出力部と、
取得したコンテンツを前記変換項目に基づいて変換する変換部と、
変換したコンテンツをユーザに提示する提示部とからなることを特徴とするコンテンツ提示装置。
【請求項７】
取得したコンテンツをユーザが理解しやすい形に変換してから提示するコンテンツ提示装置であって、
前記コンテンツ提示装置が、
少なくともユーザのコンテンツ要求とユーザの個人特性とが入力される入力部と、
ユーザの個人特性と変換項目とを蓄積する個人特性蓄積部と、
前記個人特性蓄積部からユーザの個人特性に応じた変換項目を取得し、前記取得した変換項目が複数あり、相反する変換内容の変換項目を含む場合には、変換項目が持つ優先順位に基づいて採用する変換項目を決定し、ユーザからの要求と前記変換項目とから取得するコンテンツを決定する調整部と、
コンテンツサーバにアクセスして前記決定したコンテンツを取得するネットワーク入出力部と、
取得したコンテンツを前記変換項目に基づいて変換する変換部と、
変換したコンテンツをユーザに提示する提示部とからなることを特徴とするコンテンツ提示装置。
【請求項８】
取得したコンテンツをユーザが理解しやすい形に変換してから提示するコンテンツ提示装置であって、
前記コンテンツ提示装置が、
少なくともユーザのコンテンツ要求とユーザの個人特性とが入力される入力部と、
ユーザの個人特性と変換項目とを蓄積する個人特性蓄積部と、
前記個人特性蓄積部からユーザの個人特性に応じた変換項目を取得し、前記取得した変換項目が複数あり、相反する変換内容の変換項目を含む場合には、各変換項目のベクトル量に重み係数をつけた関数により該変換内容に関しての変換の程度を決定する調整部と、
コンテンツサーバにアクセスしてユーザが要求したコンテンツを取得するネットワーク入出力部と、
取得したコンテンツを前記変換の程度に基づいて変換する変換部と、
変換したコンテンツをユーザに提示する提示部とからなることを特徴とするコンテンツ提示装置。
【請求項９】
前記関数は
【数１】
2005056151.tif 000010
であり、前記重み係数を調整することにより前記変換の程度を調整することを特徴とする請求項８に記載のコンテンツ提示装置。
【請求項１０】
前記変換項目は、取得したコンテンツに情報を付加する手段、取得したコンテンツから情報を削除する手段、取得したコンテンツを置き換える手段のうち少なくともいずれか一つであることを特徴とする請求項６〜９いずれかに記載のコンテンツ提示装置。
【請求項１１】
前記請求項１〜１０いずれかに記載のコンテンツ提示方法、または、コンテンツ提示装置をコンピュータプログラムで記載してそれを実行可能にしたことを特徴とするコンテンツ提示プログラム。
【請求項１２】
前記請求項１〜１０いずれかに記載のコンテンツ提示方法、または、コンテンツ提示装置をコンピュータで実行可能に記載したプログラムを記録したことを特徴とするプログラムを記録した記録媒体。
【発明の詳細な説明】
【技術分野】
【０００１】
本発明は、健常者の他にも身体障害者、高齢者などのユーザがウェブコンテンツにアクセスでき、しかも使い易くするための情報提示方法、情報提示装置、情報提示プログラムおよびプログラムを記録した記録媒体に関する。
【背景技術】
【０００２】
高齢者や障害者がインターネットなどにアクセスして情報を得ようとしたときに、身体特性から様々な不便があり問題となっていた。この問題に対応するため、ＨＴＭＬで記述されるウェブコンテンツに対し、Ｗ３Ｃ(Ｗｏｒｌｄ  Ｗｉｄｅ  Ｗｅｂ  Ｃｏｎｓｏｒｔｉｕｍ)などでもアクセシビリティガイドラインを公開し、様々な能力と様々な年齢のユーザに対してアクセシブルなウェブコンテンツとするための努力が行われている。アクセシビリティが確保されているとは、そのコンテンツにアクセスできるという意味である。
【０００３】
前記の取り組みとして、ＨＴＭＬの規格で音声ブラウザヘの対応などを行うように改良がされてきている。例えば、その規格の中で新設された見出し（タグ）を解釈し、身障者や高齢者にとっても、そのコンテンツにアクセスし易くする工夫がなされている。さらに近年では、様々な企業でもアクセシビリティガイドラインを発表し、アクセシブルなウェブコンテンツの普及に努めている。
【０００４】
また、高齢者や障害者のウェブアクセスを容易にするため、例えば、ホームページ内の各リンクに自動的にシリアルにリンクの近傍に表示するプログラムを用いて、ユーザは目的のリンクの番号をテンキー等で入力し目的のリンクにアクセスするホームページのアクセス方法が開示されている(例えば、特許文献１参照。)。
【特許文献１】特開２００２−３７３０４０号公報
【発明の開示】
【発明が解決しようとする課題】
【０００５】
従来のウェブコンテンツなどインターネット上の情報は、身障者や高齢者にとって扱い易いものばかりではなかった。文字の大きさを考えただけでも、視覚障害者や高齢者にとって最適な表示サイズに表示する必要があるが、ウェブコンテンツによっては最適な表示サイズに調整できない場合があった。
【０００６】
また、ＩＴに関する知識の無いユーザには、その知識レベルに合わせた表現をする必要がある。すなわち、ＩＴの専門用語をどのレベルまで使うかをユーザに合わせて変える必要がある。同様の問題は、子供や在日外国人のユーザに対してどこまで難しい漢字を使うかを決定する際にも顕在化する。
【０００７】
こうした問題に対応するため、前記特許文献１のように、様々な支援技術を用いて、高齢者や障害者などのウェブアクセスを容易にする発明がなされている。
【０００８】
一方、こうした問題を解決するために一つのコンテンツで様々な要求のユーザに対応しようとすると、どのユーザにとっても中途半端なデザインになってしまう恐れがあるという新たな問題を発生する。例えば、色覚に関する障害を持つユーザに対応するために、色を使わないという極端な解決方法をとって解決するならば、非常に無味乾燥なペ一ジデザインとなってしまう可能性があり、ユーザビリティの観点から見ると問題がある。ユーザビリテイが高いということは、そのコンテンツが扱い易いということである。フラッシュなどの動画もアクセシビリティに対する対応がまだまだであるが、ユーザビリティがよい場合もある。このように、ウェブコンテンツの問題にはアクセシビリティのみでなく、ユーザビリティの問題もある。
【０００９】
すなわち、ユーザの特性が様々なために、様々な要求があるが、それらの調整がうまくなされていないという問題があり、個々の問題に対処している従来の技術では、必ずしも最適な形で情報を提供しているとはいえなかった。例えば、アクセシビリティの観点から高齢者のために文字の表示を大きくするということに対し、ユーザビリティの観点から一覧性をよくするために文字を小さくするという相反する要求があるときに、どう対処するかという問題があった。
【００１０】
本発明はかかる事情に鑑みなされたもので、その目的は、前記問題を解決したコンテンツ提示方法、コンテンツ提示装置、コンテンツ提示プログラムおよびプログラムを記録した記録媒体を提供することにある。
【課題を解決するための手段】
【００１１】
本発明では、ウェブコンテンツのアクセシビリティ、ユーザビリティに配慮して、コンテンツに付加情報、削除情報、置換え情報を付け加えた形でコンテンツを提供する。その際に課題であった相反する要求への対処を調整部を設けてユーザに最適な形に調整することで、様々なブラウザによって、ユーザの特性に最適な形に調整した情報を取り出すことができるようにする。このようにして課題を解決するために、下記の発明に至った。
【００１２】
請求項１に記載のコンテンツ提示方法は、コンテンツ提示装置が取得したコンテンツをユーザが理解しやすい形に変換してから提示するコンテンツ提示方法であって、ユーザのコンテンツ要求が入力された場合に前記コンテンツ提示装置内に具備されたデータベースからユーザの個人特性に応じた変換項目を取得する第１ステップと、前記取得した変換項目が複数あり、相反する変換内容の変換項目を含む場合には、変換項目が持つ優先順位に基づいて採用する変換項目を決定する第２ステップと、コンテンツサーバにアクセスしてユーザから要求されたコンテンツを取得する第３ステップと、前記取得したコンテンツを前記変換項目に基づいて変換する第４ステップと、前記変換したコンテンツをユーザに提示する第５ステップとからなることを特徴とする。
【００１３】
請求項２に記載のコンテンツ提示方法は、コンテンツ提示装置が取得したコンテンツをユーザが理解しやすい形に変換してから提示するコンテンツ提示方法であって、ユーザのコンテンツ要求が入力された場合に前記コンテンツ提示装置内に具備されたデータベースからユーザの個人特性に応じた変換項目を取得する第１ステップと、前記取得した変換項目が複数あり、相反する変換内容の変換項目を含む場合には、変換項目が持つ優先順位に基づいて採用する変換項目を決定する第２ステップと、ユーザからの要求と前記変換項目とに基づいて取得するコンテンツを決定する第３ステップと、コンテンツサーバにアクセスして前記決定したコンテンツを取得する第４ステップと、前記取得したコンテンツを前記変換項目に基づいて変換する第５ステップと、前記変換したコンテンツをユーザに提示する第６ステップとからなることを特徴とする。
【００１４】
請求項３に記載のコンテンツ提示方法は、コンテンツ提示装置が取得したコンテンツをユーザが理解しやすい形に変換してから提示するコンテンツ提示方法であって、ユーザのコンテンツ要求が入力された場合に前記コンテンツ提示装置内に具備されたデータベースからユーザの個人特性に応じた変換項目を取得する第１ステップと、前記取得した変換項目が複数あり、相反する変換内容の変換項目を含む場合には、各変換項目のベクトル量に重み係数をつけた関数から該変換内容に関しての変換の程度を決定する第２ステップと、コンテンツサーバにアクセスしてユーザから要求されたコンテンツを取得する第３ステップと、前記取得したコンテンツを前記変換の程度に基づいて変換する第４ステップと、前記変換したコンテンツをユーザに提示する第５ステップとからなることを特徴とする。
【００１５】
請求項４に記載のコンテンツ提示方法は、請求項３に記載のコンテンツ提示方法において、前記関数は
【００１６】
【数１】
2005056151.tif 000003
【００１７】
であり、前記重み係数を調整することにより前記変換の程度を調整することを特徴とする。
【００１８】
請求項５に記載のコンテンツ提示方法は、請求項１〜４いずれかに記載のコンテンツ提示方法において、前記変換項目は、取得したコンテンツに情報を付加する手段、取得したコンテンツから情報を削除する手段、取得したコンテンツを置き換える手段のうち少なくともいずれか一つであることを特徴とする。
【００１９】
請求項６に記載のコンテンツ提示装置は、取得したコンテンツをユーザが理解しやすい形に変換してから提示するコンテンツ提示装置であって、前記コンテンツ提示装置が、少なくともユーザのコンテンツ要求とユーザの個人特性とが入力される入力部と、ユーザの個人特性と変換項目とを蓄積する個人特性蓄積部と、前記個人特性蓄積部からユーザの個人特性に応じた変換項目を取得し、前記取得した変換項目が複数あり、相反する変換内容の変換項目を含む場合には、変換項目が持つ優先順位に基づいて採用する変換項目を決定する調整部と、コンテンツサーバにアクセスしてユーザが要求したコンテンツを取得するネットワーク入出力部と、取得したコンテンツを前記変換項目に基づいて変換する変換部と、変換したコンテンツをユーザに提示する提示部とからなることを特徴とする。
【００２０】
請求項７に記載のコンテンツ提示装置は、取得したコンテンツをユーザが理解しやすい形に変換してから提示するコンテンツ提示装置であって、前記コンテンツ提示装置が、少なくともユーザのコンテンツ要求とユーザの個人特性とが入力される入力部と、ユーザの個人特性と変換項目とを蓄積する個人特性蓄積部と、前記個人特性蓄積部からユーザの個人特性に応じた変換項目を取得し、前記取得した変換項目が複数あり、相反する変換内容の変換項目を含む場合には、変換項目が持つ優先順位に基づいて採用する変換項目を決定し、ユーザからの要求と前記変換項目とから取得するコンテンツを決定する調整部と、コンテンツサーバにアクセスして前記決定したコンテンツを取得するネットワーク入出力部と、取得したコンテンツを前記変換項目に基づいて変換する変換部と、変換したコンテンツをユーザに提示する提示部とからなることを特徴とする。
【００２１】
請求項８に記載のコンテンツ提示装置は、取得したコンテンツをユーザが理解しやすい形に変換してから提示するコンテンツ提示装置であって、前記コンテンツ提示装置が、少なくともユーザのコンテンツ要求とユーザの個人特性とが入力される入力部と、ユーザの個人特性と変換項目とを蓄積する個人特性蓄積部と、前記個人特性蓄積部からユーザの個人特性に応じた変換項目を取得し、前記取得した変換項目が複数あり、相反する変換内容の変換項目を含む場合には、各変換項目のベクトル量に重み係数をつけた関数により該変換内容に関しての変換の程度を決定する調整部と、コンテンツサーバにアクセスしてユーザが要求したコンテンツを取得するネットワーク入出力部と、取得したコンテンツを前記変換の程度に基づいて変換する変換部と、変換したコンテンツをユーザに提示する提示部とからなることを特徴とする。
【００２２】
請求項９に記載のコンテンツ提示装置は、請求項８に記載のコンテンツ提示装置において、前記関数は
【００２３】
【数１】
2005056151.tif 000004
【００２４】
であり、前記重み係数を調整することにより前記変換の程度を調整することを特徴とする。
【００２５】
請求項１０に記載のコンテンツ提示装置は、請求項６〜９いずれかに記載のコンテンツ提示装置において、前記変換項目は、取得したコンテンツに情報を付加する手段、取得したコンテンツから情報を削除する手段、取得したコンテンツを置き換える手段のうち少なくともいずれか一つであることを特徴とする。
【００２６】
請求項１１に記載のコンテンツ提示プログラムは、前記請求項１〜１０いずれかに記載のコンテンツ提示方法、または、コンテンツ提示装置をコンピュータプログラムで記載してそれを実行可能にしたことを特徴とする。
【００２７】
請求項１２に記載のプログラムを記録した記録媒体は、前記請求項１〜１０いずれかに記載のコンテンツ提示方法、または、コンテンツ提示装置をコンピュータで実行可能に記載したプログラムを記録したことを特徴とする。
【００２８】
請求項１または６に記載のコンテンツ提示方法またはコンテンツ提示装置によれば、情報の提示を要求したユーザの個人特性に応じた変換方法によりコンテンツを変換するので、ユーザに適した形でコンテンツを提供できる。
【００２９】
請求項２または７に記載のコンテンツ提示方法またはコンテンツ提示装置によれば、ユーザの要求と変換項目とにより取得するコンテンツを決定するので、不必要なコンテンツを取得することがない。
【００３０】
請求項３、４、８、または９に記載のコンテンツ提示方法またはコンテンツ提示装置によれば、重み係数を調整することで相反する変換項目の一方を廃棄することなく、相反する変換項目の調整が可能である。
【００３１】
請求項５または１０に記載のコンテンツ提示方法またはコンテンツ提示装置によれば、前記請求項１〜４または請求項６〜９に記載の変換を付加する手段、取得したコンテンツから情報を削除する手段、取得したコンテンツを置き換える手段により実現できる。
【００３２】
請求項１１に記載のコンテンツ提示プログラムによれば、請求項１〜１０いずれかに記載の発明による効果を有するプログラムを実現することができる。
【００３３】
請求項１２に記載のプログラムの記録媒体によれば、請求項１〜１０いずれかに記載の発明による効果を有するプログラムの記録媒体を実現することができる。
【発明の効果】
【００３４】
本発明により、高齢者や障害者を含めたユーザ独自の身体特性に合わせて、アクセシビリティ、ユーザビリテイ等に配慮した最適な形に調整して情報を提供することができる。
【発明を実施するための最良の形態】
【００３５】
本発明の実施の形態を図面を用いて説明する。図１は本発明による情報の変換、提示のイメージである。本発明による情報の変換、提示の仕組みは、オリジナルコンテンツ層１１、変換調整層１２およびユニバーサルブラウザ１４a、１４ｂ、・・・、からなる。オリジナルコンテンツ層１１のオリジナルコンテンツ１３は一般のウェブコンテンツであるが、変換調整層１２においてユーザの求めるアクセシビリティ、ユーザビリテイに適合するように、付加、削除、または置き換え等の情報の変換を経て、ユーザの特性にあった形でユーザに提供される。
【００３６】
つまり、提示しようとするコンテンツに対して、あるときには、情報を付加し、あるときには情報を削除する必要がある。また、代替の情報に置き換えるなどの作業が必要となる場合がある。この置き換え方は、ユーザの特性に合わせた最適な形にする必要がある。このような情報を持つユニバーサルデザインに対応したコンテンツ（以下、ユニバーサルコンテンツ）を変換調整層１２にて用意し、ユーザに提供する。ユニバーサルコンテンツはコンテンツ本体（オリジナルコンテンツ）とコンテンツ制御情報から構成される。なお、ユーザの使用する端末と制御ルールに従って最適なコンテンツの表現形式が決定され、そのコンテンツが提供される。
【００３７】
考慮すべきアクセシビリティはＡ１、Ａ２、Ａ３、・・・、Ａｎのようにｎ個の項目があり、考慮すべきユーザビリティはＵ１、Ｕ２、・・・、Ｕｍのようにｍ個の項目がある場合を図１は示している。Ａ１、・・・、という項目はアクセシビリティの観点からの項目であり、Ｕ１・・・、という項目はユーザビリテイの観点からの項目である。例えば、高齢者のために字を大きくするという項目がＡ１などとなる。この項目では、オリジナルコンテンツ１３に対して、文字を大きくするという処理がなされる。このように、項目一つ一つに付加情報、削除情報、置換え情報が用意されている。
【００３８】
一方、変換調整層１２ではユニバーサルブラウザ１4aが要求するようにこれらの項目について情報の変換がなされるが、ユニバーサルブラウザ１4aの要求には相反する要求がある場合がある。この場合には、相反する項目のどれを優先させるかを調整することで、相反する要求に最大限対応することができ、ユーザにとって最適な形のコンテンツを提供することができる。ここでユニバーサルブラウザとは、音声ブラウザなど個々のユーザの特性に合わせたブラウザを示しており、健常者向けのブラウザも含むものとする。
【実施例１】
【００３９】
図２は本発明の情報提示システムの構成図である。ユーザはユニバーサルブラウザ２１を使って、ネットワーク２２上の情報にアクセスする。ユニバーサルブラウザ２１は、ユーザからのコマンド等を入力する入力部２４、ユーザに情報を提示する提示部２５、ユニバーサルブラウザ２１全体を制御する制御部２６、ネットワーク入出力部２７、ユーザの特性を蓄積する個人特性蓄積部２８、情報の変換方法を調整する調整部２９、コンテンツを変換する変換部３０から構成される。
【００４０】
ウェブコンテンツにアクセスする際には、ユーザはあらかじめ自分の身体特性から要求する項目を入力部２４から入力し、個人特性蓄積部２８に蓄積しておく。
【００４１】
個人特性蓄積部２８でのデータの形を図３に示す。図３ではそのユーザの身体特性に合わせた形で全項目に関して、優先順位が付けられている。身体特性からコンテンツに要求するパラメータをあらかじめ入力するのがわずらわしい場合もあるので、ユーザが使用している端末で調整を行うと、調整されたパラメータが個人特性蓄積部２８に記録され、次回の使用からは調整後のパラメータが使われるようにしてもよい。
【００４２】
次に、ユーザに情報が提供されるまでのフローチャートを図４に示す。ユーザはまずユニバーサルブラウザ２１の入力部２４から情報提示要求をする(Ｓ４１)。
【００４３】
制御部２６は個人情報蓄積部２８にアクセスして個人情報蓄積部２８のデータから項目の優先順位を取得する(Ｓ４２)。
【００４４】
その後、調整部２９にて項目の優先順位を比較し、必要な情報を調整し、実行すべき項目を決定する(Ｓ４３)。
【００４５】
その後、不必要な情報をあらかじめ削除してコンテンツサーバ２３に取りにいくべき情報を決定する(Ｓ４４)。例えば、ブラウザが音声ブラウザであれば、図や写真を取りに行かなくてもよい。本発明によれば図を取りにいくという項目の優先順位を下げることにより、ファイルの拡張子がｊｐｇやｇｉｆなどといったものに対しでは、取りに行かないという設定が可能である。
【００４６】
その後、ネットワーク入出力部２７がネットワーク２２を通じて、コンテンツサーバ２３のコンテンツにアクセスしコンテンツを得る(Ｓ４５)。
【００４７】
変換が必要なコンテンツは変換部３０にて変換を行う(Ｓ４６)。
【００４８】
変換されたコンテンツは各ユーザに対し最適なものとなっているので、それを情報提示部にて表示する(Ｓ４７)。ここで、表示といっているが、視覚的に見せるだけでなく、個人の特性に合わせて、音声で提示することもある。個人の身体特性などに合わせて、コンテンツ内の必要な部分だけを取得することができるため、情報取得までの時間が短くすることができるという利点もある。
【００４９】
ここで、図５にて調整部２９における、項目調整動作の詳細について説明する。
【００５０】
まず、ｘ番目の項目の内容と優先順位Ｊｘを個人特性蓄積部２８より取得する(Ｓ５１)。
【００５１】
次に、ｎ番目の項目の内容と優先順位Ｊｎを同じく個人特性蓄積部２８より取得する(Ｓ５２)。
【００５２】
これらの内容が相反するものかどうかを判断し、内容が相反しないものであれば、Ｓ５２に戻り次のｎ番目の項目の内容と優先順位を取得して同様に比較を行い、内容が相反するものであれば後段のＳ５４に進む(Ｓ５３)。
【００５３】
前記項目の優先順位の比較を行い、Ｊｘの優先順位が高い場合にはＳ５２に戻り、Ｊｎの優先順位が高い場合にはＳ５５に進む(Ｓ５４)。
【００５４】
優先順位が高いほうの項目を採用し、実行項目を設定する(Ｓ５５)。
【００５５】
Ｘ番目の項目を他のすべての項目と比較を終了した場合には動作を終了し、最後の項目まで比較が終了していない場合にはＳ５２に戻る(Ｓ５６)。
【００５６】
この結果により、削除する情報、追加する情報、置き換える情報を決定する。これは、相反する項目が現れた場合に、図３のデータベースにより優先順位を比較し、優先順位の高い方を採用するということである。いくつの項目を採用するかはあらかじめ、個人特性蓄積部２８に蓄積しておく。
【実施例２】
【００５７】
ユーザの特性はアナログ的に変わることが多いので、状態を関数で表すことにより、ユーザに合ったコンテンツ提示の方法を決定することができる。
【００５８】
例えば、文字を大きく表示する場合に、どの程度大きくするかはユーザによって異なり、大きくする程度はアナログ的に連続して変化する。すなわち、同じ高齢者といっても、そのために引き起こされる不自由さは重度から軽度までのユーザがいるため、これらをアナログ的に扱う必要がある。
【００５９】
独立した項目を軸にとると、ユーザ特性は多次元ベクトルで表現することができる。Ｘをコンテンツの変化のさせ方とすると、Ｘはユーザ特性の関数となる。その関数をｆとおくと、以下のように表すことができる。
【００６０】
【数２】
2005056151.tif 000005
【００６１】
ここで、ＡｘおよびＵｘはベクトル量である。Ａｘの各要素はアクセシビリティに関する項目の度合いをアナログ量で示してあり、Ｕｘの各要素はユーザビリティに関する項目の度合いを示すアナログ量である。それぞれの項目はアナログ的に変化するため、パラメータの微調整をすることができる。
【００６２】
【数３】
2005056151.tif 000006
【００６３】
【数４】
2005056151.tif 000007
【００６４】
ここで、文字の大きさの調整を例にとり説明する。文字の大きさに関する項目をＭｘ１とし、アクセシビリティの観点から文字を大きくする項目の度合いをＡｘ１、ユーザビリティの観点から文字を小さくする項目の度合いをＵｘ１とする。文字の大きさに関する項目Ｍｘ１はＡｘ１とＵｘ１の関数となる。例えば、以下のように表すことができる。
【００６５】
【数５】
2005056151.tif 000008
【００６６】
αを適当に設定することで、個人の特性に合わせることができる。例えば、文字をあまり大きくしなくてもよいユーザにはαは小さめに設定し、大きくしなければならないユーザにはαを大きく設定する。このようにして相反する項目の一方を廃棄することなく、相反する項目を調整することが可能である。
【００６７】
なお、本発明は図１、図２に示したシステムの一部又は全部の処理機能をプログラムとして構成してコンピュータを用いて実現すること、または図４、図５で示した処理手順をプログラムとして構成してコンピュータに実行させることができる。また、コンピュータでその各部の処理機能を実現するためのプログラム、またはコンピュータにその処理手順を実行させるためのプログラムを、そのコンピュータが読み取り可能な記録媒体、例えば、フレキシブルディスク、ＭＯ、ＲＯＭ、メモリカード、ＣＤ、ＤＶＤ、リムーバブルディスクなどに記録して、保存したり、提供したりすることが可能であり、また、インターネットのような通信ネットワークを介して配布したりすることが可能である。
【図面の簡単な説明】
【００６８】
【図１】本発明の情報の変換、提示のイメージ。
【図２】本発明の情報提示システムを示す構成図。
【図３】本発明の情報提示システムの個人特性蓄積部のデータ構造を示す図。
【図４】本発明の情報提示システムにおけるコンテンツ取得までのフローチャート。
【図５】本発明の情報提示システムの項目選択のフローチャート。
【符号の説明】
【００６９】
１１…オリジナルコンテンツ層
１２…変換調整層
１３…オリジナルコンテンツ
１４…ユニバーサルブラウザ
２１…ユニバーサルブラウザ
２２…ネットワーク
２３…コンテンツサーバ
２４…入力部
２５…提示部
２６…制御部
２７…ネットワーク入出力部
２８…個人特性蓄積部
２９…調整部
３０…変換部
【図１】
2005056151.tif 000011
【図２】
2005056151.tif 000012
【図３】
2005056151.tif 000013
【図４】
2005056151.tif 000014
【図５】
2005056151.tif 000015